(57)【要約】【課題】可燃性廃棄物等の処理対象物を燃焼処理した際に発生する飛灰等の処理量を減らすとともに、排ガス中に含まれて排出される水銀の量を低減すること。【解決手段】脱塩バグフィルタ７の入り口で粉末活性炭を噴霧するとともに、「戻しライン工程」で高濃度になっている水銀を、切替ダンパ９を切替えて戻しライン外の系外１４へ排出を開始することによって、所定時間内で排ガス中の水銀濃度を急激に減少させるとともに、所定時間経過後、脱塩バグフィルタ７の入り口での粉末活性炭の噴霧を中止し、「戻しライン工程」に切替えることにより急激に水銀濃度が上昇することを防ぎ、適切に水銀濃度を管理することが可能となる。【選択図】図１
2010127597.tif 000002
【特許請求の範囲】
【請求項１】
処理対象物を加熱処理して発生する熱分解ガスとチャーを燃焼させる燃焼溶融処理装置と、
前記燃焼溶融処理装置で発生する排ガスを通過させる第１バグフィルタと、
前記第１バグフィルタを通過した排ガスを通過させる第２バグフィルタと、
前記第２バグフィルタの下流の排ガス流路に設けられた水銀濃度検出部と、
前記第１バグフィルタによる捕集物を前記燃焼溶融処理装置に戻す戻しラインと、
前記戻しラインに設けられ、該戻しライン外に前記捕集物を排出するための切替え部と、
前記第１バグフィルタ内に又は上流に水銀除去材を加える水銀除去材第１添加手段と、
前記第２バグフィルタ内に又は上流に水銀除去材を加える水銀除去材第２添加手段と、を備え、
前記水銀濃度検出部で予め設定された設定値が検出されたときに、前記切替え部によって前記捕集物を前記戻しライン外に排出する方向に切替え、前記水銀除去材第２添加手段を水銀除去材の非添加状態から添加状態に切替え、所定時間経過後、前記切替え部によって前記捕集物を前記排出する方向から前記戻しライン内へ送る方向に戻すように構成されていることを特徴とする処理対象物燃焼処理システム。
【請求項２】
請求項１に記載された処理対象物燃焼処理システムにおいて、前記所定時間経過後、前記水銀除去材第２添加手段からの水銀除去材の添加を止めるように構成されていることを特徴とする処理対象物燃焼処理システム。
【請求項３】
請求項１または請求項２に記載された処理対象物燃焼処理システムにおいて、前記水銀除去材が活性炭であることを特徴とする処理対象物燃焼処理システム。
【請求項４】
処理対象物を加熱処理して発生する熱分解ガスとチャーを燃焼させる燃焼溶融処理装置で発生する排ガス中の水銀を除去する排ガス中の水銀除去方法であって、
前記排ガスを通過させる第１バグフィルタの上流で水銀除去材を添加する第１水銀除去工程と、
前記第１バグフィルタによる捕集物を前記燃焼溶融処理装置に戻す戻しライン外へ排出する捕集物排出工程と
前記第１バグフィルタを通過した排ガスを通過させる第２バグフィルタの上流で水銀除去材を添加する第２水銀除去工程と、を有し、
前記捕集物排出工程は、前記第２バグフィルタの下流の排ガス流路に設けられた水銀濃度検出部で予め設定された設定値が検出されたときから所定時間、前記捕集物を戻しライン外へ排出する工程であり、
前記第２水銀除去工程は、前記設定値が検出されたとき、水銀除去材の添加を開始することを特徴とする排ガス中の水銀除去方法。
【請求項５】
請求項４に記載された排ガス中の水銀除去方法において、前記所定時間経過後、水銀除去材の添加を止めることを特徴とする排ガス中の水銀除去方法。
【発明の詳細な説明】
【技術分野】
【０００１】
本発明は、システムの一部に水銀を除去するための装置を有する処理対象物（たとえば可燃性廃棄物や熱分解ガス等）燃焼処理システムおよび排ガス中の水銀除去方法に関するものである。
【背景技術】
【０００２】
従来、排ガス中の水銀を除去する方法として、熱分解ガス等を燃焼させる燃焼処理装置で発生した排ガスに、粉末活性炭をバグフィルタの入り口において噴霧して、排ガス中の水銀を活性炭に吸着させてバグフィルタによって捕集して除去する、いわゆる乾式法（特許文献１）が知られている。特許文献１に記載された乾式法では、排ガス中に含まれる金属水銀を塩化第二水銀に変換（活性炭によって物理吸着されやすい形態に変換）した上で前記活性炭を添加して該活性炭に吸着させて、当該活性炭による水銀除去率を向上させている。
【０００３】
ここで、バグフィルタによる捕集物は、飛灰、該飛灰に含まれるダイオキシン類等の有機塩素化合物や重金属、前記有機塩素化合物や前記水銀を吸着した活性炭等の混合物である。特許文献１に記載された乾式法では、前記捕集物は重金属固定剤やセメントによって無害化処理して廃棄処分にする処理方法が説明されているが、バグフィルタによる捕集物を戻しラインを介して燃焼溶融炉に戻して前記飛灰や重金属を溶融スラグ化し、前記有機塩素化合物は分解する処理方法が知られている（特許文献２）。
【特許文献１】特開２００６−２６３５１３
【特許文献２】特開２００４−２９８７７７
【発明の開示】
【発明が解決しようとする課題】
【０００４】
特許文献１による前記捕集物の無害化処理では、重金属固定剤やセメント等が必要になると共に発生する飛灰の量が増えるので後処理コストが嵩む問題がある。  
一方、特許文献２の前記溶融スラグ化処理を利用すれば、前記捕集物中の飛灰や重金属は溶融スラグとなるので飛灰の発生量を低減することができる。しかし、水銀は、融点が−３９℃であるため、燃焼溶融炉において水銀蒸気になってしまい溶融スラグとして除去することができない。そのため、前記捕集物中の水銀は燃焼溶融炉内に戻された後、再び排ガス流路に戻ることになる。そして、排ガス流路に戻った水銀は前記バグフィルタによって再び排ガス中から捕集され、前記燃焼溶融炉に戻され、再び排ガス流路に戻る循環をすることになる。この運転状態を継続すると水銀は次第に濃縮される。
【０００５】
即ち、前記バグフィルタによる捕集物を燃焼溶融炉に戻す排ガス処理を継続すると、バグフィルタより上流側の排ガス流路中における水銀濃度が濃縮される形で次第に上昇する。その結果、バグフィルタを通過する排ガス中の水銀濃度も次第に増加し、該ガスに混じって煙突から排出される水銀量が多くなる問題があった。
【０００６】
本発明はこのような事情に鑑みなされたもので、可燃性廃棄物等の処理対象物を燃焼処理した際に発生する飛灰等の処理量を減らすとともに、排ガス中に含まれて排出される水銀の量を低減することを目的とするものである。
【課題を解決するための手段】
【０００７】
上記目的を達成するために、本発明の第１の態様に係る処理対象物燃焼処理システムは、処理対象物を加熱処理して発生する熱分解ガスとチャーを燃焼させる燃焼溶融処理装置と、前記燃焼溶融処理装置で発生する排ガスを通過させる第１バグフィルタと、前記第１バグフィルタを通過した排ガスを通過させる第２バグフィルタと、前記第２バグフィルタの下流の排ガス流路に設けられた水銀濃度検出部と、前記第１バグフィルタによる捕集物を前記燃焼溶融処理装置に戻す戻しラインと、前記戻しラインに設けられ、該戻しライン外に前記捕集物を排出するための切替え部と、前記第１バグフィルタ内に又は上流に水銀除去材を加える水銀除去材第１添加手段と、前記第２バグフィルタ内に又は上流に水銀除去材を加える水銀除去材第２添加手段とを備え、前記水銀濃度検出部で予め設定された設定値が検出されたときに、前記切替え部によって前記捕集物を前記戻しライン外に排出する方向に切替え、前記水銀除去材第２添加手段を水銀除去材の非添加状態から添加状態に切替え、所定時間経過後、前記切替え部によって前記捕集物を前記排出する方向から前記戻しライン内へ送る方向に戻すように構成されていることを特徴とする。
【０００８】
本態様によれば、第１バグフィルタによる捕集物を前記燃焼溶融処理装置に戻す戻しラインを通じて燃焼溶融処理装置へ戻すことにより、捕集物内の飛灰等を再度燃焼処理し、後工程における飛灰等の処理量を減らす効果が得られる。
【０００９】
第１バグフィルタによる捕集物を戻しラインを通じて燃焼溶融処理装置へ戻すことで、活性炭に吸着された水銀も燃焼溶融処理装置に戻ることになり、当該燃焼処理システムの排ガス流路内の水銀濃度は上昇する。本態様によれば、前記水銀濃度検出部が予め設定された設定値を検出したときに、前記切替え部によって、捕集物を戻しライン内に送る状態から、戻しライン外（系外）に排出する方向に切替えるので、捕集物中の水銀も戻しライン外（系外）に排出される。
【００１０】
水銀濃度の上昇した捕集物が全量系外に出切るまでには当該システムの規模によって具体的には変わるが一定時間以上を必要とし、最終的には全量排出され、その後の第１バグフィルタによる捕集物中の水銀濃度はほぼ初期状態の量にまで減少する（第１の作用）。
【００１１】
水銀濃度の上昇した前記捕集物が全量系外に出切るまでの間は排ガス中の水銀濃度の上昇は続く。よって第１バグフィルタを通過して第２バグフィルタに向かう排ガス中の水銀濃度も上昇を続ける。本態様によれば、第２バグフィルタ内に又はその上流部分において水銀除去材第２添加手段から水銀除去材が添加されるので、第１バグフィルタを通過した排ガス中に含まれる水銀を更に除去することができる（第２の作用）。  
すなわち、前記第１の作用と第２の作用との両作用により、可燃性廃棄物等の処理対象物を燃焼処理した際に発生する飛灰等の処理量を減らすとともに、排ガス中に含まれて排出される水銀の量を低減することができる。
【００１２】
また、第１バグフィルタによる捕集物を戻しラインを通じて燃焼溶融処理装置へ戻すことで、前記捕集物内の飛灰等を溶融スラグに変えて系外に排出することができると共に、飛灰等に含まれるダイオキシン等の有害物質も分解することができ、結果的には飛灰等の処理量を減らす効果が得られる。
【００１３】
本発明の第２の態様に係る処理対象物燃焼処理システムは、第１の態様に係る処理対象物燃焼処理システムにおいて、前記所定時間経過後、前記水銀除去材第２添加手段からの水銀除去材の添加を止めるように構成されていることを特徴とする。  
本態様によれば、第１の態様による効果に加え、水銀濃度の上昇した前記捕集物が全量系外に出切るまでの所定時間だけ、水銀除去材第２添加手段から水銀除去材を添加すればよいので水銀除去材の使用量を必要最小限に抑えることができる。
【００１４】
本発明の第３の態様に係る処理対象物燃焼処理システムは、第１の態様または第２の態様に係る処理対象物燃焼処理システムにおいて、前記水銀除去材が活性炭であることを特徴とする。  
本態様によれば、第１の態様または第２の態様の効果に加え、活性炭の吸着能により排ガス中の水銀を効果的に除去できる。
【００１５】
本発明の第４の態様に係る排ガス中の水銀除去方法は、処理対象物を加熱処理して発生する熱分解ガスとチャーを燃焼させる燃焼溶融処理装置で発生する排ガス中の水銀を除去する排ガス中の水銀除去方法であって、前記排ガスを通過させる第１バグフィルタの上流で水銀除去材を添加する第１水銀除去工程と、前記第１フィルタによる捕集物を前記燃焼溶融処理装置に戻す戻しライン外へ排出する捕集物排出工程と前記第１バグフィルタを通過した排ガスを通過させる第２バグフィルタの上流で水銀除去材を添加する第２水銀除去工程とを有し、前記捕集物排出工程は、前記第２バグフィルタの下流の排ガス流路に設けられた水銀濃度検出部で予め設定された設定値が検出されたときから所定時間、前記捕集物を戻しライン外へ排出する工程であり、前記第２水銀除去工程は、前記設定値が検出されたとき、水銀除去材の添加を開始することを特徴とする。  
本態様によれば、第１の効果と同様の効果を得ることができる。
【００１６】
本発明の第５の態様に係る排ガス中の水銀除去方法は、第４の態様に係る排ガス中の水銀除去方法において、前記所定時間経過後、水銀除去材の添加を止めることを特徴とする。  
本態様によれば、第２の態様と同様の効果を得ることができる。
【発明の効果】
【００１７】
本発明によれば、処理対象物燃焼処理システムにおいて、可燃性廃棄物等の処理対象物を燃焼処理した際に発生する飛灰等の処理量を減らすとともに、排ガス中に含まれて排出される水銀の量を低減することできるという効果が得られる。
【発明を実施するための最良の形態】
【００１８】
以下、本発明に係る処理対象物燃焼処理システム及び処理対象物燃焼処理システム内における水銀除去方法について図面を参照しながら説明する。  
まず、図１を参照しながら本発明の実施形態について説明する。なお、本発明は以下の実施形態に限定されるものではない。
【００１９】
本発明に係る処理対象物燃焼処理システムは、図１に示すように、処理対象物を加熱処理して熱分解ガスを発生させる熱分解装置としての熱分解ドラム１、前記熱分解ガスを燃焼させる燃焼処理装置としての燃焼溶融炉２と、燃焼溶融炉２で発生する高温排ガスから夏を回収する熱回収装置としての高温空気加熱器３と、該高温空気加熱器３で熱回収された排ガスを熱源とする廃熱ボイラ４と、前記廃熱ボイラ４で更に熱利用に供された排ガスを冷却するための減温塔５と、該減温塔５で冷却された排ガスを通過させる第１バグフィルタの一例としての除塵バグフィルタ６と、該除塵バグフィルタ６を通過した排ガスを通過させる第２バグフィルタの一例としての脱塩バグフィルタ７と、該脱塩バグフィルタ７の下流の排ガス流路に設けられた水銀濃度検出部としての水銀濃度計８とを備えている。
【００２０】
更に、前記除塵バグフィルタ６による捕集物１３を前記燃焼溶融炉２に戻す戻しライン１２と、前記戻しライン１２に設けられ、前記捕集物１３を系外１４へ排出する排出方向と戻しライン１２内へ送る方向の切替えを行う切替ダンパ９と、前記捕集物１３を前記戻しライン１２の途中において熱分解カーボンと混合するためのカーボンホッパー１０と、前記熱分解ドラム１から発生した熱分解残渣を分別して前記熱分解カーボンを取り出すための分別装置１１とを備えている。
【００２１】
更に、前記減温塔５と前記除塵バグフィルタ６の間の排ガス流路には水銀除去材である粉末活性炭を加える水銀除去材第１添加手段１５、前記除塵バグフィルタ６と前記脱塩バグフィルタ７との間の排ガス流路にも水銀除去材である粉末活性炭を加える水銀除去材第２添加手段１６を備えている。図１において、符号１７は公知の脱塩剤添加手段、符号１８は脱塩バグフィルタ７による捕集物である固形物の収容部を示す。
【００２２】
そして、制御部１９によって、前記水銀濃度検出計８で予め設定された設定値が検出されたときに、前記切替ダンパ９によって前記捕集物１３を前記戻しライン１２外である系外１４に排出する方向に切替え、前記水銀除去材第２添加手段１６を粉末活性炭の非添加状態から添加状態に切替えて水銀除去処理を実行し、所定時間経過後、前記切替えダンパ９によって前記捕集物１３を前記系外１４に排出する方向から前記戻しライン１２内へ送る方向に戻すように構成されている。
【００２３】
ここで、前記「設定値」は大気中に放出される水銀濃度として問題無い値が使われる。尚、設定値は環境保護の観点からは小さいほど良いが、必要以上に小さいと、切替ダンパ９の切替え動作が頻繁に行われるようになり、系外１４に排出される飛灰の発生量が増えるので、飛灰の発生量を抑制しつつ環境保護を図れる大きさに設定することが好ましい。
【００２４】
まず、廃棄物（処理対象物）を熱分解ドラム１に入れて熱分解処理を行う。熱分解処理によって発生する熱分解残渣と熱分解ガスは、熱分解残渣については分別装置１１に送られ鉄、アルミニウム等が金属残渣として取り除かれ、一方、熱分解ガスについては燃焼溶融炉２において高温（例えば、１１００℃〜１３００℃）で燃焼処理される。
【００２５】
つぎに、燃焼溶融炉２から発生する高温の排ガスは高温空気加熱器３に導入されて空気の加熱に利用される。高温空気加熱器３で加熱された空気は熱分解ドラム１を有する装置（例えばロータリーキルン）に取り入れられ、熱分解ドラム１の間接加熱の熱源として利用される。一方、高温空気加熱器３において空気の加熱に利用された排ガスは、廃熱ボイラ４で熱回収され、例えばシステム系内で使用する電力の発電等に用いられる。
【００２６】
廃熱ボイラ４で熱回収された排ガス（温度３００〜４００℃程度）は、減温塔５に導入され冷却された後（温度１５０〜２００℃程度）、除塵バグフィルタ６で除塵され、次いで脱塩バグフィルタ７を経て、排ガスに含まれるＨＣｌ、ＳＯｘ、等が脱塩除去され、浄化ガスとなって煙突から大気中へ排出される。  
なお、脱塩剤としては、水酸化カルシウム（消石灰）や炭酸水素ナトリウム（重曹）等の従来より脱塩剤として知られている薬剤を用いることができる。例えば、排ガス中に含まれる塩化水素を除去する場合には、排ガス中に重曹を添加し、塩化水素と反応させて固体の塩化ナトリウムを生成させ、これをバグフィルタで捕集し分離除去する方法が挙げられる。
【００２７】
ここで、処理対象物燃焼処理システムにおけるシステム系内の水銀除去方法について詳しく説明する。
【００２８】
減温塔５によって冷却された排ガスには、廃棄物に由来する水銀がガス状態で含まれている。この水銀を除去するために、本実施例では除塵バグフィルタ６の入り口において、水銀除去材第１添加手段１５から粉末活性炭を排ガス中に噴霧して、該粉末活性炭に水銀を吸着させて当該粉末活性炭とともに除塵バグフィルタ６で捕集する構成となっている。ここでの水銀除去率は通常約９９％まで高めることができる。よって残り１％の水銀が除塵バグフィルタ６を通過することとなる。
【００２９】
脱塩バグフィルタ７の入り口で脱塩剤だけを排ガス中に添加した場合には、前記通過した１％の水銀のうち１０％程度の水銀しか除去することができない。すなわちシステム系外に排出される水銀は、全体の０．９％程度ということになる。
【００３０】
一方、本発明では、脱塩バグフィルタ７の入り口で水銀除去材第２添加手段１６から粉末活性炭を噴霧するので、前記通過した１％の水銀のうち９９％を除去することができる。すなわちシステム系外に排出される水銀は全体の０．０１％程度まで減少させることができる。よって、水銀濃度計８に設定した水銀濃度が設定値を超えた時に粉末活性炭を噴霧すれば、上述したように、システム系外に排出する水銀を全体の０．９％から０．０１％に一気に減少させることが可能となる。
【００３１】
粉末活性炭とともに除塵バグフィルタ６に捕集された水銀は、同じく除塵バグフィルタ６に捕集された排ガス中に含まれる飛灰等と一緒に戻しライン１２を通ってカーボンホッパー９へ入れられ、分別装置１０で分別して取り出された熱分解カーボンと混合されて燃焼溶融炉２へ戻される。このとき切替ダンパ９は、除塵バグフィルタ６で捕集された捕集物１３をカーボンポッパー１０を経て燃焼溶融炉２へ送る方向（戻しライン１２）へ捕集物１３の流れを制御している。
【００３２】
このため、燃焼溶融炉３では、新たに発生する排ガス中に含まれる水銀と戻しライン１２から燃焼溶融炉２へ送られてきた捕集物１３中に含まれる水銀が加わり水銀濃度が上昇している。
【００３３】
なお、捕集物１３中に含まれる飛灰等は燃焼溶融炉２で高温（例えば１３００℃）処理され、溶融スラグ化し、ダイオキシン等の有害物質は分解される。
【００３４】
そして、燃焼溶融炉３から排出された排ガスは濃度が高くなった水銀や飛灰を含みながら高温空気加熱器３、廃熱ボイラ４、減温塔５、水銀除去材第１添加手段１５からの粉末活性炭の噴霧処理を経て除塵バグフィルタ６に導入される。そこで上述したように、排ガス中の水銀の９９％は除去されるが、水銀濃度が高くなっているため、除塵バグフィルタ６を通過した排ガス中には最初よりも高い濃度の水銀が含まれており、脱塩バグフィルタ７を通過して測定される排ガス中の水銀濃度は上昇する。  
一方、除塵バグフィルタ６で捕集された捕集物１３は、上述したように戻しライン１２を通って再度燃焼溶融炉３へ送られる。
【００３５】
このように、除塵バグフィルタ６で捕集された捕集物１３を戻しライン１２を通って燃焼溶融炉３へ戻す工程（以下「戻しライン工程」という）を繰り返すと、捕集物１３中に含まれている飛灰の量は燃焼溶融炉３で溶融スラグ化するため減少し、ダイオキシン等の有害物質も分解され減少するが、排ガス中に含まれる水銀の濃度は上昇し、ついには水銀濃度計８で設定した設定値（管理目標値）を超えてしまうこととなる（図２）。
【００３６】
そこで、水銀濃度計８が設定値を検出したときに、脱塩バグフィルタ７の入り口で水銀除去材第２添加手段１６から粉末活性炭を噴霧することにより、システム系外に排出する水銀の濃度を減少させるとともに、切替ダンパ９を除塵バグフィルタ６で捕集された捕集物１３を戻しライン１２外となる系外１４へ排出する方向へ切替えることにより、粉末活性炭に吸着されて捕集物１３中に含まれている水銀を系外１４へ排出する。この工程により、システム系内の水銀濃度が一気に減少する（図４）。この際、切替ダンパ９を所定時間、戻しライン１２外の系外１４へ排出する方向に切替えたままにしておく必要がある。その理由は、切替ダンパ９を捕集物１３を戻す戻しライン１２内方向から戻しライン外の系外１４へ切替えた当初は、まだ、切替ダンパ９から燃焼溶融炉２方向への戻しライン１２内に高濃度の水銀を含んだ捕集物１３が残っており、それらが燃焼溶融炉３を経て除塵バグフィルタ６によって捕集され、戻しライン外へ排出されるまで時間がかかるからである。この時間はシステムの規模により異なるが、通常は２〜５時間である。  
所定時間経過後は、また切替ダンパ９を除塵バグフィルタ６で捕集された捕集物１３を燃焼溶融炉２へ戻す戻しライン１２方向へ切替えてシステムを運転する（図４）。
【００３７】
図３には、脱塩バグフィルタ７の入り口で水銀除去材第２添加手段１６から粉末活性炭のみを噴霧した場合の水銀濃度の変化が示されている（切替ダンパ９無しの場合）。脱塩バグフィルタ７の入り口で粉末活性炭を噴霧した場合、急激に水銀濃度は減少するが、所定時間経過後、粉末活性炭の噴霧を停止すると急激に水銀濃度が上昇するという欠点がある。
【００３８】
これは、「戻しライン工程」を繰り返して、該「戻しライン工程」内での水銀が除去されず水銀濃度が上昇しているためである。図３に示したように、粉末活性炭の噴霧を停止すると急激に水銀濃度が上昇し、除塵バグフィルタ６を通過して脱塩バグフィルタ７を通過した排ガス中に高濃度の水銀が含まれることになる。
【００３９】
そこで、本発明のように脱塩バグフィルタ７の入り口で水銀除去材第２添加手段１６から粉末活性炭を噴霧するとともに、「戻しライン工程」で高濃度になっている水銀を、切替ダンパ９を切替えて戻しライン外の系外１４へ排出を開始することによって、所定時間内で、脱塩バグフィルタ７の入り口で粉末活性炭を噴霧しただけの場合よりさらに排ガス中の水銀濃度を急激に減少させることができる（図４）。また、所定時間経過後、脱塩バグフィルタ７の入り口での粉末活性炭の噴霧を中止し、「戻しライン工程」に切替えたとしても、「戻しライン工程」内には殆ど水銀は残っていないため、急激に水銀濃度が上昇するということはない（図４）。
【００４０】
なお、脱塩バグフィルタ７に粉末活性炭と共に捕集された水銀は、固形物の収容部１８に取り出され、他の捕集物（塩類等）とまとめて固体化処理して廃棄される。固体化処理については一般的な公知技術を使用することができる。例えば、捕集物に重金属固定剤と水を加えて混練し加圧成形機で成形固化して廃棄する。重金属固定剤としてはキレート剤が挙げられる。また、戻しライン外の系外１４へ排出される除塵バグフィルタ６の捕集物に含まれる粉末活性炭と供に捕集された水銀は、飛灰等とまとめて固体化処理して廃棄される。固体化処理については、上述した脱塩バグフィルタ７に捕集された捕集物を固体化処理する場合と同様の方法で行うことができる。
【００４１】
以上、本発明により処理対象物燃焼処理システム内の水銀を除去し、系外へ排出される水銀の濃度を調整することが可能となる。
【図面の簡単な説明】
【００４２】
【図１】本発明の実施形態に係る処理対象物燃焼処理システムのブロック図。
【図２】第２バグフィルタ（脱塩バグフィルタ）入り口で粉末活性炭を噴霧しない場合における、経過時間と水銀濃度の関係を示す図。
【図３】第２バグフィルタ（脱塩バグフィルタ）入り口で粉末活性炭を噴霧し、所定時間経過後噴霧を停止した場合における、経過時間と水銀濃度の関係を示す図。
【図４】第２バグフィルタ（脱塩バグフィルタ）入り口で粉末活性炭を噴霧するとともにさらに第１バグフィルタ（除塵バグフィルタ）内の捕集物を戻しライン外に排出し、所定時間経過後噴霧を停止して戻しライン工程に切替えた場合における、経過時間と水銀濃度の関係を示す図。
【符号の説明】
【００４３】
１  熱分解ドラム、  ２  燃焼溶融炉、  ３  高温空気加熱器、  ４  廃熱ボイラ、  ５  減温塔、  ６  除塵バグフィルタ（第１バグフィルタ）、  ７  脱塩バグフィルタ（第２バグフィルタ）、  ８  水銀濃度計、  ９  切替ダンパ、  １０  カーボンホッパー、  １１  分別装置、  １２  戻しライン、  １３  捕集物、  １４  系外、  １５  水銀除去材第１添加手段、  １６  水銀除去材第２添加手段、  １７  脱塩剤添加手段、  １８  固形物の収容部、  １９  制御部
【図１】
2010127597.tif 000003
【図２】
2010127597.tif 000004
【図３】
2010127597.tif 000005
【図４】
2010127597.tif 000006